(57)【要約】【課題】簡便な方法で、大型の映像表示装置を設置する。【解決手段】多面体の形状を有し、側面に映像を表示するスクリーンを備えた映像表示装置を構成する複数の部材を映像表示装置の設置場所に搬入するステップと、複数の部材を接合して、多面体の形状として、映像表示装置を組み立て、設置するステップと、を含む。複数の部材は、それぞれスクリーンを構成する表示パネルと表示パネルが取り付けられたフレームとを含む。複数の部材のうち少なくとも１つの部材に含まれるフレームは、多面体の側面のうちの２以上の隣り合う側面を構成する。【選択図】図１
2018146628.tif 000002
【特許請求の範囲】
【請求項１】
多面体の形状を有し、側面に映像を表示するスクリーンを備えた映像表示装置を構成する複数の部材を前記映像表示装置の設置場所に搬入するステップと、
前記複数の部材を接合して、前記多面体の形状として、前記映像表示装置を組み立て、設置するステップと、
を含み、
前記複数の部材は、それぞれ前記スクリーンを構成する表示パネルと前記表示パネルが取り付けられたフレームとを含み、
前記複数の部材のうち少なくとも１つの部材に含まれるフレームは、前記多面体の側面のうちの２以上の隣り合う側面を構成する、
映像表示装置の設置方法。
【請求項２】
前記映像表示装置は、立方体の形状を有し、４つの側面にそれぞれ１つのスクリーンが備えられており、
また、前記映像表示装置は、前記部材２つを含み、
前記部材それぞれは、４つの前記スクリーンのうち、１対の対向するスクリーンをそれぞれ２分割にした部分と、１つのスクリーンと、を含んでいる、
請求項１に記載の映像表示装置の設置方法。
【請求項３】
多面体の形状を有し、側面に映像を表示するスクリーンを備えた映像表示装置であって、
それぞれ前記スクリーンを構成する表示パネルと前記表示パネルが取り付けられたフレームとを含む複数の部材を含み、
前記複数の部材のうち少なくとも１つの部材に含まれるフレームは、前記多面体の側面のうちの２以上の隣り合う側面を構成し、
前記映像表示装置の設置場所にて、前記複数の部材が接合されて、前記多面体の形状となるよう組み立てられる、
映像表示装置。
【発明の詳細な説明】
【技術分野】
【０００１】
本発明は、映像表示装置の設置方法及び映像表示装置に関する。
【背景技術】
【０００２】
従来、ＬＥＤ表示装置といった映像表示装置の組み立ては工場で完成し、完成した最終製品が工場から設置場所に輸送される。しかし、映像表示装置の大型化により、最終製品の状態では映像表示装置を輸送車両に積載できないことがある。このような場合には、工場で組み立てを完成させず、中間製品、部品を設置場所に輸送して、設置場所で最終製品まで組み立てる。具体的には、表示パネルと支柱とを設置場所に搬送し、設置場所で支柱を組み立て、組み立てた支柱に表示パネルを組み付けて、最終製品まで組み立てる。その後、映像表示装置を建物の外壁、屋内の天井等に設置する。
【０００３】
例えば、特許文献１には、大型の表示装置を建物の外壁に設置する方法が開示されている。この方法では、まず、建物の外壁に、表示パネルを嵌めるためのガイドレールを配置し、ガイドレールの間に複数の表示パネルを積み上げることで、表示装置を外壁に設置する。
【先行技術文献】
【特許文献】
【０００４】
【特許文献１】特開２００１−３１２２２６号公報
【発明の概要】
【発明が解決しようとする課題】
【０００５】
特許文献１の方法では、ガイドレールの設置、パネルの積み上げといった設置場所において複数の作業が必要となる。このため、費用がかさむ。また、このような大型の映像表示装置は、建物の外壁といった高所に設置される場合も多く、設置の際にはクレーンのような大型重機が必要となり、この点でもコストがかかる。
特許文献１の
【０００６】
本発明は、上記実情を鑑みてなされたものであり、簡便な方法で、大型の映像表示装置を設置する方法及び簡便な方法で設置することが可能な映像表示装置を提供することを目的とする。
【課題を解決するための手段】
【０００７】
上記目的を達成するため、本発明に係る映像表示装置の設置方法は、
多面体の形状を有し、側面に映像を表示するスクリーンを備えた映像表示装置を構成する複数の部材を映像表示装置の設置場所に搬入するステップと、
複数の部材を接合して、多面体の形状として、映像表示装置を組み立て、設置するステップと、
を含み、
複数の部材は、それぞれスクリーンを構成する表示パネルと表示パネルが取り付けられたフレームとを含み、
複数の部材のうち少なくとも１つの部材に含まれるフレームは、多面体の側面のうちの２以上の隣り合う側面を構成する。
【０００８】
上記目的を達成するため、本発明に係る映像表示装置は、
多面体の形状を有し、側面に映像を表示するスクリーンを備えた映像表示装置であって、
それぞれスクリーンを構成する表示パネルと表示パネルが取り付けられたフレームとを含む複数の部材を含み、
複数の部材のうち少なくとも１つの部材に含まれるフレームは、多面体の側面のうちの２以上の隣り合う側面を構成し、
映像表示装置の設置場所にて、複数の部材が接合されて、多面体の形状となるよう組み立てられる。
【発明の効果】
【０００９】
本発明によれば、簡便な方法で、大型の映像表示装置を設置することができる。さらに、大型重機の使用、設置場所での煩雑な組み立て作業を要しないので、映像表示装置の設置にかかる費用を低減することができる。
【図面の簡単な説明】
【００１０】
【図１】実施の形態１にかかる映像表示装置の外観図
【図２】映像表示装置の側面図
【図３】映像表示装置の映像の表示に係る構成を表すブロック図
【図４】（ａ）は、映像表示装置を上から見た場合の、スクリーンの配置を模式的に示す図、（ｂ）は、４つのスクリーンを構成するＬＥＤパネルと、ＬＥＤ制御部との配線を説明するための図
【図５】２つの部材を接合した状態の映像表示装置の側面図
【図６】２つの部材を接合した状態の映像表示装置の上面図
【図７】変形例１に係る部材の説明をするための模式図であり、（ａ）は、映像表示装置の形状を模式的に表す図、（ｂ）は実施の形態１に係る２つの部材の形状を模式的に表す図、（ｃ）は変形例１に係る２つの部材の形状を模式的に表す図、（ｄ）は変形例１に係る他の２つの部材の形状を模式的に表す図、（ｅ）は変形例１に係るさらに他の２つの部材の形状を模式的に表す図
【図８】（ａ）は、変形例２に係る映像表示装置の形状を表す図、（ｂ）は、変形例２に係る他の映像表示装置の形状を表す図、（ｃ）は、変形例２に係るさらに他の映像表示装置の形状を表す図
【図９】変形例３に係る映像表示装置の側面図
【図１０】変形例４に係る映像表示装置の側面図
【発明を実施するための形態】
【００１１】
（実施の形態１）
実施の形態１に係る映像表示装置の設置方法を図面を参照しながら説明する。以下、室内競技場（アリーナ）の天井に設置される天井吊り下げ式の映像表示装置を設置する例を説明する。この映像表示装置は、アリーナで行われる競技のスコアボードとして利用される。
【００１２】
まず、実施の形態１に係る映像表示装置１００について説明する。図１は、組み立てが完成した状態（最終製品の状態）の映像表示装置１００の外観を示す図である。図２に、組み立てが完成した状態の映像表示装置１００を、１つのスクリーン側から見た場合の側面図を示す。
【００１３】
図１に示すように、映像表示装置１００は、立方体の形状を有しており、４つの側面にスクリーンＡ、Ｂ、Ｃ、Ｄ（スクリーンＣ、Ｄは図示せず）を有している。スクリーンＡ〜Ｄは、映像表示装置１００を上側から見た場合に、映像表示装置１００の中心に対して、反時計周りにスクリーンＡ、Ｂ、Ｃ、Ｄの順に配置される。スクリーンＡ、Ｂ、Ｃ、Ｄは、それぞれ１または複数の表示パネルを含む。各スクリーンを構成する１または複数の表示パネルは、支柱が組み立てられたものである支柱枠（フレーム）（図示せず）に取り付けられている。ここでは、表示パネルとしてＬＥＤパネルを使用する。
【００１４】
映像表示装置１００は、映像表示装置１００を吊り下げるための８個の吊り金具１０を支柱枠の上部に備える。図２に示すように、吊り金具１０は、映像表示装置１００を側面から見た場合、各スクリーンの上部に２つの吊り金具１０が見えるような位置に配置される。吊り金具１０は、アリーナの可動設備として予め備えられている吊り具、ここでは、４本のワイヤー（不図示）に接続される。ワイヤーの操作により、映像表示装置１００は、天井付近の決められた高さまで持ち上げられ、ワイヤーが固定されることで、映像表示装置１００は天井から吊り下げ固定される。
【００１５】
図２に示すように、スクリーンＢ、Ｄは、その表示面が鉛直方向に対して傾斜している。これは、映像表示装置１００が天井に吊り下げられたときに、表示されている映像の視認性を良くするためである。スクリーンＡ、Ｃも、同様に鉛直方向に対して傾斜している。
【００１６】
隣り合う２つ側面に設けられたスクリーンの間には、広告幕Ａｄ（Ａｄ１〜Ａｄ４）が張られている。広告幕Ａｄには、ポリエステル、ナイロン等の繊維の織物が使用されている。また、広告幕Ａｄ１〜Ａｄ４は、各種広告がプリントされている。例えば、アリーナで行われるスポーツのチームのスポンサー企業の広告、スポーツ用品の広告である。広告幕Ａｄの表示面も鉛直方向に対して傾斜している。スクリーンＡとＢとの間には広告幕Ａｄ１が、スクリーンＢとＣとの間には広告幕Ａｄ２が、スクリーンＣとＤとの間には広告幕Ａｄ３が、スクリーンＤとＡとの間には広告幕Ａｄ４が設けられている。
【００１７】
映像表示装置１００の底面には、板状の部材が使用される。例えば、樹脂製、金属製、木製の板である。なお、映像表示装置１００のスクリーンに囲まれた内側の底面の板の上には、後述する分電盤が配置されるだけなので、底面には大きな荷重がかからず、底面を構成する板状の部材に高い強度は要求されない。
【００１８】
図２に示すように、映像表示装置１００は、設置作業の利便性のため、底面にキャスター２０を備える。キャスター２０は、映像表示装置１００を側面から見た場合、スクリーンＡの下部に４つのキャスター２０が見えるような位置に配置される。スクリーンＣ側についても同様に４つのキャスター２０が配置されている。
【００１９】
映像表示装置１００は、スクリーンＡ〜Ｄに囲まれた内側部分であって、その底面上に１つの分電盤３０（不図示）を備える。電力供給のための電力線は、分電盤３０を介して、映像表示装置１００に引き込まれている。従って、スクリーンＡ〜Ｄを構成するＬＥＤパネル１へは、分電盤３０を介して電源が供給される。
【００２０】
映像の表示に係る構成として、図３に示すように、映像表示装置１００は、ＬＥＤランプとＬＥＤランプを点灯させる回路基板を一体にしたものを含み、映像を表示する表示部であるＬＥＤパネル１、外部のコントローラ５００から供給された映像信号に基づいてＬＥＤパネル１を制御するＬＥＤ制御部２、電力線から供給された電力を各部に供給する電源部３、を有する。ＬＥＤパネル１は、映像表示装置１００の側面のスクリーンＡ〜Ｄとして、フレームに取り付けられている。ＬＥＤ制御部２と、ＬＥＤパネル１とは、信号通信用の配線で接続されている。電源部３と、ＬＥＤパネル１及びＬＥＤ制御部２とは、電力供給用配線で接続されている。ＬＥＤ制御部２、電源部３は、前述の分電盤３０の筐体内に収められている。
【００２１】
図３を参照する。映像は、次のような過程を経て、映像表示装置１００に映し出される。まず、パソコン、ビデオ等の映像の送出機器（図示せず）が映像信号をコントローラ５００に出力する。コントローラ５００は、送出機器から供給された映像信号に各種変換処理を施し、変換した信号を映像表示装置１００に送信する。ここで、コントローラ５００が行う各種変換処理は、映像表示装置１００のスクリーンサイズに合わせた画像の拡大／縮小処理、高画質化処理等を含む。映像表示装置１００のＬＥＤ制御部２は、コントローラ５００から出力された信号（ＬＥＤ表示信号）に基づいて、ＬＥＤパネル１を制御する。従って、ＬＥＤパネル１が構成するスクリーンに映像が表示される。
【００２２】
本実施の形態では、映像表示装置１００は、設置場所であるアリーナで、工場からアリーナに搬入された２つの部材Ｐ１、Ｐ２を組み合わせて、最終製品の状態に組み立てられる。
【００２３】
図４（ａ）は、映像表示装置１００を上から見た図である。部材Ｐ１、Ｐ２は、映像表示装置１００を、スクリーンＡ、スクリーンＣの中心を通る位置を結んだ線Ｌ１で、２つに分割したかのような部材である。部材Ｐ１は、スクリーンＡに対面した場合のその左側半分（スクリーンＡａ）と、スクリーンＤと、スクリーンＣに対面した場合のその右側半分（スクリーンＣｂ）とを含む。部材Ｐ２は、スクリーンＡに対面した場合のその右側半分（スクリーンＡｂ）と、スクリーンＢと、スクリーンＣに対面した場合のその左側半分（スクリーンＣａ）と、を含む。分電盤３０は、部材Ｐ２の底面上に配置されている。
【００２４】
スクリーンＡは、設置場所（アリーナ）に搬入された時点では、スクリーンＡａとスクリーンＡｂとに分割された状態であり、部材Ｐ１とＰ２の組み立ての際に、スクリーンＡａ及びＡｂが接合される。同様に、スクリーンＣは、設置場所（アリーナ）に搬入された時点では、スクリーンＣａとスクリーンＣｂとに分割された状態であり、部材Ｐ１とＰ２の組み立ての際に、スクリーンＣａ及びＣｂが接合される。なお、工場においては、部材Ｐ１、Ｐ２が別個に製造されており、最終製品の状態のものを分割したものを部材Ｐ１、Ｐ２とするわけではない。
【００２５】
図４（ｂ）は、スクリーンＡ〜Ｄと、ＬＥＤ制御部２と、コントローラ５００との配線を説明するための図である。コントローラ５００とＬＥＤ制御部２とは信号線で接続されている。ＬＥＤ制御部２と各スクリーンを構成するＬＥＤパネル１とは信号線で接続されている。また、分電盤３０が、部材Ｐ２の底面上に配置されているため、部材Ｐ１側のスクリーンＡａ、Ｄ、Ｃｂは、中継コネクタ２５を介して、ＬＥＤ制御部２に接続される。
【００２６】
コントローラ５００からＬＥＤ制御部２にＬＥＤ表示信号が供給されると、ＬＥＤ制御部２の出力信号が各スクリーンを構成するＬＥＤパネル１に供給される。このようにして、ＬＥＤパネル１は映像を表示する。
【００２７】
以下、本発明の特徴的な映像表示装置１００の設置方法を説明する。まず、部材Ｐ１、Ｐ２のフレームについて説明する。図５に、部材Ｐ１と部材Ｐ２とを接合した状態の映像表示装置１００を、側面（スクリーンＡ側）から見た図を示す。ここでは、部材Ｐ１、Ｐ２の支柱枠の構造がわかるように、スクリーンＡ、Ｃの図示を省略している。図６に、部材Ｐ１と部材Ｐ２とを接合した状態の映像表示装置１００を、上側から見た図を示す。
【００２８】
部材Ｐ１は、支柱が組み立てられたものに、スクリーンＡａ、スクリーンＤ、スクリーンＣｂをそれぞれ構成するＬＥＤパネル１が取り付けられた状態で、工場から出荷される。部材Ｐ２も、同様に、支柱が組み立てられたものに、スクリーンＡｂ、スクリーンＢ、スクリーンＣａをそれぞれ構成するＬＥＤパネル１が取り付けられた状態で、工場から出荷される。
【００２９】
図５に示す支柱４１、４２は、図面に向かって右側もしくは左側（スクリーンＢ側もしくはスクリーンＤ側）から見た場合は、四角形の枠であり、支柱４１と支柱４２は、いずれも鉛直方向に立てられた状態で、図５に示すように、支柱４１と支柱４２の間に渡された支柱４３及び支柱４４の２本の棒状の支柱により連結されている。また、図５の紙面奥側については、図６に示すように、支柱４１と支柱４２の間に渡された、２本の支柱（支柱４５及び不図示の支柱）により連結されている。図６に示す、４本の支柱４７（４７ａ〜４７ｄ）は、部材Ｐ１の強度を高めるための補助用の支柱であり、部材Ｐ１の底部にも同様の４本の補助用の支柱が設けられている。部材Ｐ２についても、部材Ｐ１と左右対称に同様の構成が備えられている。また、部材Ｐ１、Ｐ２ともに、工場出荷時に底面が形成されている。さらに、工場出荷時に分電盤３０は、部材Ｐ２の底面の上に配置されている。
【００３０】
また、部材Ｐ１、Ｐ２の内側にはそれぞれ取っ手４８が設けられている。これは、部材Ｐ１とＰ２とを接合する際、ＬＥＤパネル１が配置されているスクリーン面に触れることができないため、取っ手４８を持って、部材Ｐ１、Ｐ２をそれぞれ動かすことになる。さらに、前述のようにキャスター２０が設けられているため、部材Ｐ１、Ｐ２の移動がさらに容易になる。
【００３１】
映像表示装置１００を設置するにあたって、まず、設置場所（アリーナ）に搬入された部材Ｐ１とＰ２とを接合して、映像表示装置１００を組み立てる。スクリーンＡａ及びＡｂがそれぞれ１枚のスクリーンとなるように、部材Ｐ１の支柱４３と部材Ｐ２の支柱５３、部材Ｐ１の支柱４４と部材Ｐ２の支柱５４、を合わせる。同様に、スクリーンＣａ及びＣｂがそれぞれ１枚のスクリーンとなるように、部材Ｐ１の支柱４５と部材Ｐ２の支柱５５、支柱４１と支柱４２の間に渡された不図示のＰ１と部材Ｐ２側の対応する支柱（不図示）とを合わせる。
【００３２】
この状態で、図５に示すように、部材Ｐ１の支柱４３と部材Ｐ２の支柱５３の対応するねじ穴をボルトｂ１で固定し、部材Ｐ１の支柱４４と部材Ｐ２の支柱５４の対応するねじ穴をボルトｂ１で固定する。図６に示すように、部材Ｐ１の支柱４５と部材Ｐ２の支柱５５の対応するねじ穴をボルトｂ１で固定し、支柱４１と支柱４２の間に渡された不図示の部材と部材Ｐ２側の対応する支柱（不図示）とをボルトで固定する。それぞれの支柱には工場で決められた位置にねじ穴が設けられた突起部（不図示）が形成されており、これらの突起部のねじ穴にボルトｂ１が留められる。
【００３３】
部材Ｐ１と部材Ｐ２とを接合した後、分電盤３０内のＬＥＤ制御部２と、スクリーンＡ〜Ｄを構成するＬＥＤパネル１とを配線接続する。このとき、分電盤３０を有していない部材Ｐ１側のスクリーンＡａ、Ｄ、Ｃｂは、中継コネクタ２５を介して、ＬＥＤ制御部２に接続する。また、分電盤３０内の電源部３と、ＬＥＤ制御部２及びＬＥＤパネル１とを電力供給用配線で接続する。その後、分電盤３０内の電源部３と電源、分電盤３０内のＬＥＤ制御部２とコントローラ５００を接続する。
【００３４】
その後、組み立てた映像表示装置１００の吊り金具１０を、アリーナの可動設備として予め備えられている４本のワイヤー（不図示）に接続し、ワイヤーの操作により、映像表示装置１００を天井付近の決められた高さまで持ち上げ、ワイヤーを固定する。このように映像表示装置１００がアリーナに設置される。
【００３５】
なお、部材Ｐ１とＰ２とを固定する際には、スクリーンＡａ及びＡｂとの接合面、スクリーンＣａ及びＣｂとの接合面、の境界が目立たないように、部材Ｐ１の支柱とＰ２の支柱との接着面に位置決め部材（ポジショナ−）を設けて、部材Ｐ１とＰ２との間隔を調整してもよい。
【００３６】
本実施の形態の方法では、設置場所にて、２つの部材Ｐ１、Ｐ２を接合して、映像表示装置１００の組み立てを完成させる。この２つの部材Ｐ１、Ｐ２は、映像表示装置１００の最終製品における形状である立方体の形状を２つに分割したかのような部材である。さらに、１つの部材には、映像表示装置１００の少なくとも２つの隣接するスクリーンの面が含まれるようにする。従って、接合面を合わせるだけで、映像表示装置１００を立方体の形状とすることができ、組み立てが簡便である。他方、本発明に係る方法を使用しない場合、まず、複数の支柱を組み立てて、映像表示装置１００の全体の骨組みを形成した上で、ＬＥＤパネル１を骨組みに組み付ける必要があり、設置場所での作業が煩雑になることが予想される。あるいは、映像表示装置１００の全体の骨組みを設置場所に搬入し、各スクリーンを構成するＬＥＤパネル１を骨組みに組み付けるといった組み立て方法があるが、映像表示装置１００の全体の骨組みを輸送車両に載せることができないことが想定される。
【００３７】
（変形例１）
図７（a）は、映像表示装置１００の形状を模式的に表す図である。図７（ｂ）〜（e）は、映像表示装置１００を構成する部材の形状を模式的に表す図である。上記の実施の形態では、図７の（ａ）に示す立方体の形状を有する映像表示装置１００を、図７（ｂ）に示す２つに分割したかのような２つの部材Ｐ１、Ｐ２を組み合わせて構成した、部材の形状は、これに限られない。
【００３８】
図７（ｃ）に示すように、立方体の形状からスクリーンＡ、Ｄを含む部材Ｐ１１と、スクリーンＢ、Ｃを含む部材Ｐ２１と、を組み立ててもよい。
【００３９】
あるいは、図７（ｄ）に示すように、立方体の形状からスクリーンＡの側面だけを切り出した部材Ｐ１２と、スクリーンＢ、Ｃ、Ｄを含む部材Ｐ２２と、を組み立ててもよい。
【００４０】
また、あるいは、図７（ｅ）に示すように、立方体の形状を３分割にしたかのような３つの部材Ｐ１３と、部材Ｐ２３、部材Ｐ３１と、を組み立ててもよい。
【００４１】
（変形例２）
また、映像表示装置１００の形状は立方体の形状に限られない。図８（ａ）〜（ｃ）に変形例２に係る映像表示装置１００の形状を模式的に表す図を示す。映像表示装置１００は、図８（ａ）に示すように、三角柱の形状を有していてもよい。この場合、側面に３つのスクリーンが設けられる。あるいは、図８（ｂ）に示すように、映像表示装置１００は、側面に６つのスクリーンを備えた六角柱の形状を有していてもよい。あるいは、図８（ｃ）に示すように、映像表示装置１００は、側面に８つのスクリーンを備えた、八角柱の形状であってもよい。
【００４２】
（変形例３）
第１の実施形態では、ボルトｂ１を使用して部材Ｐ１、Ｐ２を接合したが、接合の方法はこれに限られない。天井に設置した固定具に部材を取り付けることで映像表示装置１００を組み立てた形状としてもよい。図９に、変形例３に係る映像表示装置１００の側面図を示す。図９に示すように、あらかじめ天井に固定具８１、８２を取り付ける。固定具８１に部材Ｐ１を固定し、固定具８２に部材Ｐ２を固定してもよい。この場合、天井に対する固定具８１、８２の設置位置を、部材Ｐ１、Ｐ２の接合部分に隙間ができないような位置に決めておく。固定具８１、８２を使用することにより、隙間を無くした状態で部材Ｐ１、部材Ｐ２が設置される。よって、部材Ｐ１と部材Ｐ２とをボルトで固定する必要はなく、部材Ｐ１と部材Ｐ２の接合部分は簡易的なアタッチメントで固定するだけでよい。
【００４３】
（変形例４）
図１０は、変形例４に係る映像表示装置１００を、スクリーンＡ側から見た場合の側面図である。図１０に示すように、映像表示装置１００の各側面の上部に２つの吊り金具１０の間隔ｗ１が、吊り具であるワイヤーＷの間隔ｗ２より大きい場合には、次のように、映像表示装置１００を天井に設置する。まず、４本のワイヤーＷの先端に金属製の吊り枠Ｈを取り付ける。そして、吊り金具１０を、吊り枠Ｈに取り付けける。この状態で、吊り枠ＨがワイヤーＷで天井付近まで持ち上げられ、固定される。このようにして、映像表示装置１００がアリーナの天井に設置される。
【００４４】
この場合も、４本のワイヤーＷに取り付けた吊り枠Ｈを床付近まで下ろした状態で、映像表示装置１００の組み立てを行うので、重機を必要とせず作業を行うことができる。
【００４５】
（変形例５）
上述の実施の形態では天井吊り方式の映像表示装置の例を説明したが、映像表示装置１００は床面に設置してもよい。この場合、上述の例のように、スクリーンは鉛直方向に対して傾斜していなくてもよい。あるいは、１つの側面にはスクリーンを設けず、当該側面を柱、壁面等に固定してもよい。
【００４６】
（変形例６）
実施の形態では、スクリーンＡ〜Ｄの間には広告幕Ａｄを設ける例を説明したが、広告幕Ａｄの代わりに、別途のＬＥＤパネルを設けて、スクリーンＡ〜Ｄの間の各スペースもスクリーンとして構成してもよい。
【００４７】
（変形例７）
さらに、映像表示装置１００は、映像だけではなく、音声を出力してもよい。この場合、映像表示装置１００の底面に着脱部としてスピーカを取り付けるための穴を１又は複数設け、設けた穴に１又は複数のスピーカを配置すればよい。
【００４８】
実施の形態では、部材Ｐ２が分電盤３０を有していたので、分電盤３０を有していない部材Ｐ１側のスクリーンＡａ、Ｄ、Ｃｂを構成するＬＥＤパネル１と、ＬＥＤ制御部２とは、中継コネクタ２５を介して接続されていた。中継コネクタ２５の使用により、設置場所での映像表示装置１００の組み立てが容易である。さらに、映像表示装置１００は、分電盤３０を１つのみ有すればよい。あるいは、映像表示装置１００は、部材Ｐ１、Ｐ２それぞれに分電盤３０を備えてもよい。この場合、部材Ｐ１側の分電盤３０内のＬＥＤ制御部２が部材Ｐ１側のスクリーンＡａ、Ｄ、Ｃｂを構成するＬＥＤパネル１を制御すればよいので、中継コネクタ２５は不要である。
【００４９】
また、実施の形態では、スクリーンを構成する表示パネルとしてＬＥＤパネルを使用する例を説明したが、表示パネルとして、他の表示装置を使用してもよい。また、ＬＥＤ制御部２が分電盤３０の筐体内に収められている例を説明したが、ＬＥＤ制御部２を分電盤３０内に配置するのではなく、ＬＥＤパネルの背面の適宜の位置に配置してもよい。
【００５０】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００５１】
１  ＬＥＤパネル、２  ＬＥＤ制御部、３  電源部、１０  吊り金具、２０  キャスター、２５  中継コネクタ、３０  分電盤、４１〜４７，４７ａ〜４７ｄ，５２〜５５  支柱、４８  取っ手、８１，８２  固定具、１００  映像表示装置、５００  コントローラ、Ａｄ１，Ａｄ２，Ａｄ３，Ａｄ４  広告幕、Ａ，Ｂ，Ｃ，Ｄ  スクリーン、Ｈ  吊り枠、Ｐ１，Ｐ２  部材、Ｗ  ワイヤー。
【図１】
2018146628.tif 000003
【図２】
2018146628.tif 000004
【図３】
2018146628.tif 000005
【図４】
2018146628.tif 000006
【図５】
2018146628.tif 000007
【図６】
2018146628.tif 000008
【図７】
2018146628.tif 000009
【図８】
2018146628.tif 000010
【図９】
2018146628.tif 000011
【図１０】
2018146628.tif 000012